(57)【要約】【課題】本発明は、タワー水におけるレジオネラ菌の繁殖を防止できる空調機を提供する。【解決手段】空調機は、エンジン３５の排熱を熱源として利用し、タワー水を加熱する冷却水回路３と、第１加熱運転及び第２加熱運転を冷却水回路３に実行させるコントローラ５０とを備えており、第１加熱運転は、エンジン３５の運転中に保水時間が第１保水時間Ａ以上且つ第２保水時間Ｂ未満になると実行されると共に、水温度が第１加熱温度αを超えた状態を第１加熱時間Ｉ以上継続させ、第２加熱運転は、エンジン３５の運転中に保水時間が第２保水時間Ｂ以上になると実行されると共に、水温度が第２加熱温度βを超えた状態を第２加熱時間ＩＩ以上継続させ、冷却水回路３によるタワー水の加熱が終了すると、コントローラ５０は保水時間をリセットし、第２保水時間Ｂは第１保水時間Ａよりも長く、第２加熱温度βは第１加熱温度αよりも高い。【選択図】図６
2013178021.tif 000002
【特許請求の範囲】
【請求項１】
クーリングタワーを有するエンジン駆動式空調機において、
前記クーリングタワーを備えているタワー水回路と、
圧縮機を備えており、空調運転を実行する冷媒回路と、
前記圧縮機を駆動するエンジンと、
前記タワー水回路を流れるタワー水と前記冷媒回路を流れる冷媒との間で熱交換を行うタワー水−冷媒熱交換器と、
前記タワー水が前記タワー水回路に保持されている時間である保水時間を計測する計測装置と、
前記エンジンの排熱を熱源として利用し、前記タワー水を加熱する加熱装置と、
冷却運転の停止を前記タワー水回路に実行させると共に、第１加熱運転及び第２加熱運転を前記加熱装置に実行させる第１制御装置と、
前記タワー水の水温度を検出する水温度検出器と、を備えており、
前記第１加熱運転は、前記エンジンの運転中に、保水時間が第１保水時間以上且つ第２保水時間未満になると実行されると共に、前記水温度が第１加熱温度を超えた状態を第１加熱時間以上継続させ、
前記第２加熱運転は、前記エンジンの運転中に、前記保水時間が第２保水時間以上になると実行されると共に、前記水温度が第２加熱温度を超えた状態を第２加熱時間以上継続させ、
前記冷却運転の停止は、前記第１加熱運転又は前記第２加熱運転が実行されているときに実行されると共に、前記クーリングタワー及び前記タワー水−冷媒熱交換器への前記タワー水の循環を停止させ、
前記加熱装置による前記タワー水の加熱が終了すると、前記計測装置は前記保水時間をリセットし、
前記第２保水時間は前記第１保水時間よりも長く、
前記第２加熱温度は前記第１加熱温度よりも高い、ことを特徴とするエンジン駆動式空調機。
【請求項２】
複数の前記冷媒回路を備えており、前記各冷媒回路は前記空調運転を個別に実行でき、
少なくとも１つの冷媒回路が実行している前記空調運転が冷房運転である場合に、前記第１加熱運転及び前記第２加熱運転が実行される、請求項１に記載のエンジン駆動式空調機。
【請求項３】
冷房負荷率が所定冷房負荷率より大きいときは、前記第１加熱運転は実行されない、請求項２に記載のエンジン駆動式空調機。
【請求項４】
外気温度を検出する外気温度検出器を備えており、
前記外気温度が所定外気温度未満であるときは、前記第１加熱運転及び前記第２加熱運転は実行されない、請求項１に記載のエンジン駆動式空調機。
【請求項５】
前記水温度が所定水温度未満であるときは、前記計測装置は前記保水時間の計測を中断する、請求項１に記載のエンジン駆動式空調機。
【請求項６】
前記空調運転の実行及び停止に伴って、前記エンジンの運転の実行及び停止を決定する第２制御装置を備えており、
前記空調運転の停止が指令されたときに前記第１加熱運転又は前記第２加熱運転が開始されている場合、前記第１加熱運転及び前記第２加熱運転が終了するまで前記第２制御装置は前記エンジンの運転を継続させる、請求項１に記載のエンジン駆動式空調機。
【請求項７】
前記第１加熱運転又は前記第２加熱運転が終了すると、前記クーリングタワー及び前記タワー水−冷媒熱交換器を前記タワー水が少なくとも一時的に循環するように前記タワー水回路を制御する第３制御装置を備えている、請求項１に記載のエンジン駆動式空調機。
【発明の詳細な説明】
【技術分野】
【０００１】
本発明は、クーリングタワーを有するエンジン駆動式空調機に関する。
【背景技術】
【０００２】
特許文献１は、クーリングタワーにより冷媒回路の冷媒を冷却する装置を開示している。特許文献１に開示される冷却装置は、クーリングタワー（１）、冷媒回路である圧縮式チラー（７）、及び冷却水を必要とするシステム（２５）を備えている。圧縮式チラー（７）を流れる冷媒は、クーリングタワー（１）によって冷却される。
【先行技術文献】
【特許文献】
【０００３】
【特許文献１】特開平５−１２６４１８号公報
【発明の概要】
【発明が解決しようとする課題】
【０００４】
開放型のクーリングタワーでは、クーリングタワーを流れる水が外気に接触している。このため、クーリングタワーのタワー水にレジオネラ菌が繁殖する虞がある。しかし、特許文献１は、タワー水におけるレジオネラ菌の繁殖を防止する構成を開示していない。
【０００５】
そこで本発明は、クーリングタワーのタワー水におけるレジオネラ菌の繁殖を防止できる空調機を提供する。
【課題を解決するための手段】
【０００６】
本発明に係るエンジン駆動式空調機は、クーリングタワーを有するエンジン駆動式空調機において、前記クーリングタワーを備えており、冷却運転を実行するタワー水回路と、圧縮機を備えており、空調運転を実行する冷媒回路と、前記圧縮機を駆動するエンジンと、前記タワー水回路を流れるタワー水と前記冷媒回路を流れる冷媒との間で熱交換を行うタワー水−冷媒熱交換器と、前記タワー水が前記タワー水回路に保持されている時間である保水時間を計測する計測装置と、前記エンジンの排熱を熱源として利用し、前記タワー水を加熱する加熱装置と、第１加熱運転及び第２加熱運転を前記加熱装置に実行させると共に、前記第１加熱運転又は前記第２加熱運転が実行されるときに、前記冷却運転の停止を前記タワー水回路に実行させる第１制御装置と、前記タワー水の水温度を検出する水温度検出器と、を備えており、前記第１加熱運転は、前記エンジンの運転中に、保水時間が第１保水時間以上且つ第２保水時間未満になると実行されると共に、前記水温度が第１加熱温度を超えた状態を第１加熱時間以上継続させ、前記第２加熱運転は、前記エンジンの運転中に、前記保水時間が第２保水時間以上になると実行されると共に、前記水温度が第２加熱温度を超えた状態を第２加熱時間以上継続させ、前記冷却運転は、前記クーリングタワー及び前記タワー水−冷媒熱交換器に前記タワー水を循環させ、前記加熱装置による前記タワー水の加熱が終了すると、前記計測装置は前記保水時間をリセットし、前記第２保水時間は前記第１保水時間よりも長く、前記第２加熱温度は前記第１加熱温度よりも高い、ことを特徴とする。
【０００７】
前記エンジン駆動式空調機は、複数の前記冷媒回路を備えており、前記各冷媒回路は前記空調運転を個別に実行でき、少なくとも１つの冷媒回路が実行している前記空調運転が冷房運転である場合に、前記第１加熱運転及び前記第２加熱運転が実行される。
【０００８】
前記エンジン駆動式空調機において、冷房負荷率が所定冷房負荷率より大きいときは、前記第１加熱運転は実行されない。
【０００９】
前記エンジン駆動式空調機は、外気温度を検出する外気温度検出器を備えており、前記外気温度が所定外気温度未満であるときは、前記第１加熱運転及び前記第２加熱運転は実行されない。
【００１０】
前記エンジン駆動式空調機において、前記水温度が所定水温度未満であるときは、前記計測装置は前記保水時間の計測を中断する。
【００１１】
前記エンジン駆動式空調機は、前記空調運転の実行及び停止に伴って、前記エンジンの運転の実行及び停止を決定する第２制御装置を備えており、前記空調運転の停止が指令されたときに前記第１加熱運転又は前記第２加熱運転が開始されている場合、前記第１加熱運転及び前記第２加熱運転が終了するまで前記第２制御装置は前記エンジンの運転を継続させる。
【００１２】
前記エンジン駆動式空調機は、前記第１加熱運転又は前記第２加熱運転が終了すると、前記クーリングタワー及び前記タワー水−冷媒熱交換器を前記タワー水が少なくとも一時的に循環するように前記タワー水回路を制御する第３制御装置を備えている。
【発明の効果】
【００１３】
本発明に係るエンジン駆動式空調機は、クーリングタワーのタワー水を殺菌することにより、クーリングタワーのタワー水におけるレジオネラ菌の繁殖を防止できる。このため、この空調機は、クーリングタワーの清掃を不要にできる、又は清掃の頻度を低減できる。
【図面の簡単な説明】
【００１４】
【図１】図１は、空調機のブロック図である。
【図２】図２は、第１冷房運転、冷却運転、及び放熱運転における、冷媒、タワー水、及び冷却水の流れを示す空調機のブロック図である。
【図３】図３は、第２冷房運転、冷却運転の停止、及び加熱運転における、冷媒、タワー水、及び冷却水の流れを示す空調機のブロック図である。
【図４】図４は、暖房運転、冷却運転の停止、及び熱回収運転における、冷媒、タワー水、及び冷却水の流れを示す空調機のブロック図である。
【図５】図５は、加熱運転のフローで用いられている各種の変数及び定数を示す表である。
【図６】図６は、基本フローを示すフロー図である。
【図７】図７は、冷房運転のオプションフローを示すフロー図である。
【図８】図８は、空調負荷のオプションフローを示すフロー図である。
【図９】図９は、外気温度のオプションフローを示すフロー図である。
【図１０】図１０は、保水時間の支援フローを示すフロー図である。
【図１１】図１１は、空調運転の停止の支援フローを示すフロー図である。
【図１２】図１２は、クーリングタワーの殺菌の支援フローである。
【図１３】図１３は、空調機のブロック図である。
【図１４】図１４は、空調機のブロック図である。
【発明を実施するための形態】
【００１５】
（第１実施形態の構成）
図１−１２を参照して、第１実施形態に係る空調機を説明する。
【００１６】
図１は、空調機のブロック図である。空調機は、冷媒回路１、タワー水回路２、冷却水回路３、タワー水−冷媒熱交換器（ＴＲ熱交換器）４、冷媒−冷却水熱交換器（ＲＥ熱交換器）５、及びタワー水−冷却水熱交換器（ＴＥ熱交換器）６を備えている。冷媒回路１は、冷媒を循環させるヒートポンプである。タワー水回路２はタワー水を冷却するクーリングタワー７を備えており、タワー水はタワー水回路２を循環する。冷却水回路３には、エンジン３５の冷却水が循環する。ＴＲ熱交換器４は、タワー水と冷媒との間で熱交換を行う。ＲＥ熱交換器５は、冷媒と冷却水との間で熱交換を行う。ＴＥ熱交換器６は、タワー水と冷却水との間で熱交換を行う。
【００１７】
冷媒回路１は、配管又は配管群から構成された、主経路１０、ＴＲバイパス経路１１、及びＲＥ経路１２を備えている。主経路１０はループを描いている。ＴＲバイパス経路１１及びＲＥ経路１２は、主経路１０の一部を迂回する。接続部１１ａ及び接続部１１ｂは、ＴＲバイパス経路１１の両端が主経路１０に接続する部分を指している。接続部１２ａ及び接続部１２ｂは、ＲＥ経路１２の両端が主経路１０に接続する部分を指している。冷媒回路１は、主経路１０に沿って配置された、圧縮機１３、室外熱交換器１４、第１膨張弁１５、及び室内熱交換器１６を備えている。室外熱交換器１４は室外ファン１４ａを備えており、室内熱交換器１６は室内ファン１６ａを備えている。冷媒回路１は、ＴＲバイパス経路１１に沿って配置された弁１７を備えている。ＴＲ熱交換器４は、主経路１０に沿って配置されており、接続部１１ａと接続部１１ｂとの間に位置する。このため、ＴＲバイパス経路１１はＴＲ熱交換器４を迂回する。冷媒回路１は、ＲＥ経路１２に沿って配置された第２膨張弁１８を備えている。ＲＥ熱交換器５は、ＲＥ経路１２に沿って配置されており、第２膨張弁１８と接続部１２ｂとの間に位置する。
【００１８】
主経路１０は、切換機構１９を備えている。切換機構１９は、切換機構１９から主経路１０に流れる冷媒の流れ方向を、冷房方向Ｄ１４又は暖房方向Ｄ１６に切り換える。切換機構１９は、四方弁１９ａ及び配管群を用いて構成されている。
【００１９】
弁１７は、冷媒が流れる経路を、ＴＲバイパス経路１１及び主経路１０の双方、又は主経路１０に切り換える。弁１７が閉じられているとき、冷媒は主経路１０を流れる。弁１７が開かれているとき、大部分の冷媒はＴＲバイパス経路１１を流れ、残りの一部の冷媒は主経路１０を流れる。
【００２０】
第１膨張弁１５及び第２膨張弁１８は、冷媒が流れる経路を、主経路１０及びＲＥ経路１２の双方、又は主経路１０に切り換える。第１膨張弁１５が開かれ且つ第２膨張弁が完全に閉じられているとき、冷媒は、主経路１０を流れる。第１膨張弁１５及び第２膨張弁の双方が開かれているとき、冷媒は、ＲＥ経路１２及び主経路１０の双方を流れる。ここで、冷媒が主経路１０を流れる場合は、冷媒が弁１７の開閉に応じてＴＲバイパス経路１１を流れる場合を含んでいる。
【００２１】
タワー水回路２は、配管又は配管群から構成された主経路２０を備えている。タワー水回路２は、主経路２０に沿って配置された、水槽２１、タワー水ポンプ２２、散水器２３、及び充填剤２４を備えている。ここで、ＴＲ熱交換器４は、主経路２０に沿って配置されており、タワー水ポンプ２２と散水器２３との間に位置する。また、ＴＥ熱交換器６は、主経路２０に沿って配置されており、水槽２１内に位置する。クーリングタワー７は、水槽２１、散水器２３、及び充填剤２４によって構成されている。
【００２２】
タワー水回路２は、水槽２１内に配置された水温センサ（水温度検出器）２５を備えている。水温センサ２５は、水槽２１内のタワー水の水温度を検出する。
【００２３】
冷却水回路３は、配管又は配管群から構成された、主経路３０、戻し経路３１、ＲＥ経路３２、及びＴＥ経路３３を備えている。主経路３０はループを描いている。戻し経路３１、ＲＥ経路３２、及びＴＥ経路３３は、主経路３０の一部を迂回する。冷却水回路３は、主経路３０に沿って配置された、冷却水ポンプ３４、エンジン３５、サーモスタットバルブ３６、第１三方弁３７、第２三方弁３８、及びラジエータ３９を備えている。サーモスタットバルブ３６及び接続部３１ａは、戻し経路３１の両端が主経路３０に接続する部分を指している。第１三方弁３７及び接続部３２ａは、ＲＥ経路３２の両端が主経路３０に接続する部分を指している。第２三方弁３８及び接続部３３ａは、ＴＥ経路３３の両端が主経路３０に接続する部分を指している。
【００２４】
冷却水回路３は、エンジン３５とサーモスタットバルブ３６との間で主経路３０上に配置された水温センサ９を備えている。水温センサ９は冷却水の水温度を検出する。サーモスタットバルブ３６は、冷却水の水温度に基づいて、冷却水が流れる経路を、戻し経路３１又は主経路３０に切り換える。冷却水の水温度が所定冷却水温度未満である場合、戻し経路３１が選択され、冷却水は戻し経路３１を流れる。このとき冷却水は、エンジン３５とサーモスタットバルブ３６との間を循環する。冷却水の水温度が所定冷却水温度以上である場合、主経路３０が選択され、冷却水はサーモスタットバルブ３６から主経路３０に沿って流れる。
【００２５】
第１三方弁３７は、冷却水が流れる経路を、ＲＥ経路３２又は主経路３０に切り換える。ＲＥ経路３２が選択されているとき、冷却水はＲＥ経路３２を流れる。主経路３０が選択されているとき、冷却水は第１三方弁３７から主経路３０に沿って流れる。
【００２６】
第２三方弁３８は、冷却水が流れる経路を、ＴＥ経路３３又は主経路３０に切り換える。ＴＥ経路３３が選択されているとき、冷却水はＴＥ経路３３を流れる。主経路３０が選択されているとき、冷却水は第２三方弁３８から主経路３０に沿って流れる。
【００２７】
空調機は、冷媒回路１、タワー水回路２、及び冷却水回路３を制御するコントローラ５０を備えている。コントローラ５０は、具体的には、圧縮機１３、室外ファン１４ａ、弁１７、第１膨張弁１５、室内ファン１６ａ、第２膨張弁１８、四方弁１９ａ、タワー水ポンプ２２、冷却水ポンプ３４、エンジン３５、第１三方弁３７、及び第２三方弁３８を制御する。
【００２８】
空調機は、操作装置５１を備えている。ユーザーは、操作装置５１を用いて、空調機を操作するための指令をコントローラ５０に入力する。
【００２９】
空調機は、外気温度を検出する気温センサ（外気温度検出器）８を備えている。
【００３０】
図２−４を参照して、空調機の運転を説明する。コントローラ５０は、冷媒回路１、タワー水回路２、及び冷却水回路３に、対応する運転を実行させると共に、これらの運転を停止させる。冷媒回路１は、空調運転を実行する。空調運転は、冷房運転及び暖房運転を含んでいる。冷房運転は、第１冷房運転及び第２冷房運転を含んでいる。ここで、第１冷房運転は通常の冷房運転を指しており、第２冷房運転は加熱運転の際に実行される特別な冷房運転を指している。タワー水回路２は、冷却運転を実行する。冷却水回路３は、放熱運転、加熱運転、又は熱回収運転を実行する。
【００３１】
冷媒回路１、タワー水回路２、及び冷却水回路３は、次の３つの組合せの運転のいずれか１つを実行する。第１の組合せは、第１冷房運転、冷却運転、及び放熱運転である。第２の組合せは、第２冷房運転、冷却運転の停止、及び加熱運転である。第３の組合せは、暖房運転、冷却運転の停止、及び熱回収運転である。コントローラ５０は、空調機の運転に応じて、冷媒回路１を流れる冷媒の流れ、タワー水回路２を流れるタワー水の流れ、冷却水回路３を流れる冷却水の流れを変更する。具体的には、コントローラ５０は、弁１７、第１膨張弁１５、第２膨張弁１８、切換機構１９、タワー水ポンプ２２、第１三方弁３７、及び第２三方弁３８を制御する。
【００３２】
コントローラ５０（第２制御装置）は、基本的には、空調運転の実行及び停止に伴って、エンジン３５の運転の実行及び停止を決定する。つまり、空調運転のために圧縮機１３を駆動する必要がある場合にのみエンジン３５の運転が実行され、圧縮機１３を駆動する必要がない場合にエンジン３５の運転が停止される。当然ながら、エンジン３５の運転の停止は、冷却水回路３の運転の停止を意味している。また、コントローラ５０は、基本的には、冷房運転の実行及び停止に伴って、冷却運転の実行及び停止を決定する。つまり、冷房運転のために冷媒を冷却する必要がある場合にのみ、クーリングタワー７による冷媒の冷却が実行される。
【００３３】
図２は、第１冷房運転、冷却運転、及び放熱運転における、冷媒、タワー水、及び冷却水の流れを示す空調機のブロック図である。図２において、冷媒回路１は第１冷房運転を行っており、タワー水回路２は冷却運転を行っており、冷却水回路３は放熱運転を行っている。冷媒回路１における太字は第１冷房運転における冷媒の流れを示しており、タワー水回路２における太字は冷却運転におけるタワー水の流れを示しており、冷却水回路３における太字は放熱運転における冷却水の流れを示している。
【００３４】
第１冷房運転において、切換機構１９は冷房方向Ｄ１４を選択しており、第１膨張弁１５及び第２膨張弁１８は主経路１０を選択しており、弁１７は主経路１０を選択している。冷媒は、圧縮機１３から冷房方向Ｄ１４に流され、室外熱交換器１４、ＴＲ熱交換器４、第１膨張弁１５、及び室内熱交換器１６を順に通過し、再び圧縮機１３に戻る。第１冷房運転において、室外熱交換器１４は凝縮器として機能し、室内熱交換器１６は蒸発器として機能する。
【００３５】
冷却運転において、タワー水は、タワー水ポンプ２２から流され、ＴＲ熱交換器４、散水器２３、充填材２４、及び水槽２１（ＴＥ熱交換器６）を順に通過し、再びタワー水ポンプ２２に戻る。ここで、タワー水は散水器２３から充填材２４に散水され、一部のタワー水が蒸発し、残りのタワー水が充填材２４から水槽２１に落下する。蒸発熱が奪われることにより、タワー水が冷却される。
【００３６】
第１冷房運転及び冷却運転が実行されているとき、タワー水はクーリングタワー７によって冷却されており、ＴＲ熱交換器４においてタワー水と冷媒との間で熱交換が行われる。このため、冷媒がタワー水によって冷却される。ＴＲ熱交換器４は補助的な凝縮器として機能する。ＴＲ熱交換器４が冷媒回路１における凝縮能力を向上させるため、室内熱交換器１６による冷房能力が向上する。
【００３７】
放熱運転において、第１三方弁３７は主経路３０を選択しており、第２三方弁３８は主経路３０を選択している。冷却水は、冷却水ポンプ３４から流され、エンジン３５、サーモスタットバルブ３６、第１三方弁３７、第２三方弁３８、及びラジエータ３９を順に通過し、再び冷却水ポンプ３４に戻る。エンジン３５で発生した廃熱は、ラジエータ３９で外気に放出される。
【００３８】
図３は、第２冷房運転、冷却運転の停止、及び加熱運転における、冷媒、タワー水、及び冷却水の流れを示す空調機のブロック図である。図３において、冷媒回路１は第２冷房運転を行っており、タワー水回路２は冷却運転を停止しており、冷却水回路３は加熱運転を行っている。冷媒回路１における太字は第２冷房運転における冷媒の流れを示しており、冷却水回路３における太字は加熱運転における冷却水の流れを示している。冷却運転が停止しているとき、タワー水回路２においてタワー水の流れは停止している。
【００３９】
第２冷房運転において、切換機構１９は冷房方向Ｄ１４を選択しており、第１膨張弁１５及び第２膨張弁１８は主経路１０を選択しており、弁１７は主経路１０及びＴＲバイパス経路１１を選択している。第１冷房運転では、冷媒はＴＲ熱交換器４のみを通過するが、第２冷房運転では、大部分の冷媒はＴＲバイパス経路１１を流れ、極一部の冷媒がＴＲ熱交換器４を流れる。この点を除いて、冷媒は、第１冷房運転及び第２冷房運転において同一の経路を流れる。
【００４０】
冷却運転の停止は、タワー水ポンプ２２の駆動を停止することによって行われる。タワー水の流れが停止するので、タワー水はクーリングタワー７及びＴＲ熱交換器４を循環しない。
【００４１】
第２冷房運転が行われ且つ冷却運転が停止されているとき、タワー水はクーリングタワー７によって冷却されておらず、ＴＲ熱交換器４を流れる冷媒の流量は小さい。このため、ＴＲ熱交換器４において、冷媒とタワー水との間で熱交換は殆ど行われない。つまり、このことは、後述の加熱運転によって加熱されたタワー水が冷媒を加熱することを防止している。
【００４２】
冷却水回路３は、タワー水回路２内のタワー水を加熱する加熱装置として機能する。冷却水回路３は、エンジン３５の排熱を熱源として利用し、タワー水を加熱する。コントローラ５０（第１制御装置）は、加熱運転を冷却水回路３に実行させると共に、加熱運転が実行されているときに冷却運転の停止をタワー水回路２に実行させる。加熱運転は、タワー水を殺菌するために行われる。
【００４３】
加熱運転において、第１三方弁３７は主経路３０を選択しており、第２三方弁３８はＴＥ経路３３を選択している。放熱運転では冷却水はラジエータ３９を流れるが、加熱運転では冷却水はＴＥ熱交換器６を流れる。この点を除いて、冷却水は、放熱運転及び加熱運転において同一の経路を流れる。
【００４４】
加熱運転が実行されるときに、冷却運転は停止される。冷却運転が停止され且つ加熱運転が実行されているとき、タワー水はクーリングタワー７によって冷却されておらず、冷却水はエンジン３５の廃熱によって加熱されており、ＴＥ熱交換器６においてタワー水と冷媒との間で熱交換が行われる。このため、タワー水が冷却水によって加熱される。タワー水が加熱されるときに、クーリングタワー７がタワー水を冷却しないので、タワー水が効率的に加熱される。この加熱により、タワー水が殺菌される。
【００４５】
図４は、暖房運転、冷却運転の停止、及び熱回収運転における、冷媒、タワー水、及び冷却水の流れを示す空調機のブロック図である。図４において、冷媒回路１は暖房運転を行っており、タワー水回路２は冷却運転を停止しており、冷却水回路３は熱回収運転を行っている。冷媒回路１における太字は暖房運転における冷媒の流れを示しており、冷却水回路３における太字は熱回収運転における冷却水の流れを示している。冷却運転が停止しているとき、タワー水回路２においてタワー水の流れは停止している。
【００４６】
暖房運転において、切換機構１９は暖房方向Ｄ１６を選択しており、第１膨張弁１５及び第２膨張弁１８は主経路１０及びＲＥ経路１２を選択しており、弁１７は主経路１０及びＴＲバイパス経路１１を選択している。冷媒は、圧縮機１３から暖房方向Ｄ１６に流され、室内熱交換器１６及び第１膨張弁１５を通過し、接続部１１ｂにおいて分岐する。ここで冷媒は、主経路１０に沿ってＴＲ熱交換器４を流れると共に、ＴＲバイパス経路１１に沿って弁１７を流れる。次に冷媒は、接続部１１ａにおいて合流し、接続部１２ａにおいて分岐する。ここで冷媒は、主経路１０に沿って室外熱交換器１４を流れると共に、ＲＥ経路１２に沿って第２膨張弁１８及びＲＥ熱交換器５を流れる。次に冷媒は接続部１２ｂにおいて合流し、再び圧縮機１３に戻る。第１冷房運転において、室外熱交換器１４は凝縮器として機能し、室内熱交換器１６は蒸発器として機能する。
【００４７】
熱回収運転において、第１三方弁３７はＲＥ経路３２を選択している。冷却水は、冷却水ポンプ３４から流され、エンジン３５、サーモスタットバルブ３６、第１三方弁３７、及びＲＥ熱交換器５を順に通過し、再び冷却水ポンプ３４に戻る。
【００４８】
暖房運転及び熱回収運転が実行されているとき、ＲＥ熱交換器５において、冷却水はエンジン３５の廃熱によって加熱されており、ＲＥ熱交換器５において冷媒と冷却水との間で熱交換が行われる。このため、冷媒が冷却水によって加熱される。ＲＥ熱交換器５は補助的な蒸発器として機能する。ＲＥ熱交換器５が冷媒回路１における蒸発能力を向上させるため、室内熱交換器１６による暖房能力が向上する。
【００４９】
図５−１２を参照して、加熱運転のフローを説明する。
【００５０】
図５は、加熱運転のフローで用いられている各種の変数及び定数を示す表である。これらの変数及び定数は、図６−１２に示されるフローで用いられている。これらの定数のデフォルト値は、レジオネラ菌の繁殖を防止できる値として設定されている。ユーザーは、操作装置５１を用いて、これらのデフォルト値を任意の値に変更することが可能である。
【００５１】
図６は、基本フローを示すフロー図である。基本フローは単独で、加熱運転の実行フローを形成する。後述するように、基本フローを他のオプションフローと組み合わせることによって、新たな実行フローを形成することが可能である。
【００５２】
ステップＳ１において処理が開始されると、ステップＳ２が実行される。
【００５３】
ステップＳ２において、コントローラ５０は保水時間が第１保水時間Ａ以上であるか否かを判定する。保水時間は、タワー水がタワー水回路２に保持されている時間である。保水時間は、タワー水の加熱による殺菌が必要であるか否かを判定するための基準として、導入されている。このため、保水時間は、最後に加熱運転が終了してから経過した時間となるように、設定されている。後述のステップＳ１３は加熱運転の終了後の処理であり、このステップＳ１３において、保水時間はリセットされ、０になる。また、ユーザーは操作装置５１を用いて保水時間の現在値を入力できる。例えば、コントローラ５０が初めて起動されたとき、コントローラ５０は前回の加熱運転の終了を認識していないので、このような場合にユーザーは保水時間の現在値を入力する。また、起動時における保水時間の現在値が、例えば０に設定されていても良い。
【００５４】
コントローラ５０は、時間を計測する機能を有しており、保水時間を計測する計測装置として機能できる。コントローラ５０の起動中、コントローラ５０は常時保水時間を計測している。
【００５５】
保水時間が第１保水時間Ａ以上である場合、処理がステップＳ３に進み、保水時間がＡ未満である場合、処理がステップＳ１４に進む。保水時間が第１保水時間Ａ以上である場合は、タワー水を加熱する加熱運転が必要な場合を意味している。
【００５６】
ステップＳ３において、コントローラ５０はエンジン３５の運転が実行されているか否かを判定する。コントローラ５０がエンジン３５に運転の実行を指令するため、コントローラ５０はエンジン３５の運転が実行されているか否かを特定できる。
【００５７】
エンジン３５の運転が実行されている場合、処理がステップＳ４に進み、エンジン３５の運転が実行されていない場合、処理がステップＳ１４に進む。
【００５８】
ステップＳ４において、コントローラ５０は加熱運転の開始前作業を行う。具体的には、コントローラ５０は、冷媒及び冷却水の流れが図３に示される流れとなるように、切換機構１９、第１膨張弁１５、第２膨張弁１８、弁１７、第１三方弁３７、及び第２三方弁３８を切り換える。冷房運転の実行中にステップＳ４が実行される場合、ステップＳ４では、図２に示される第１冷房運転及び放熱運転が、図３に示される第２冷房運転及び加熱運転に切り換えられる。この場合、ステップＳ４において、弁１７及び第２三方弁３８のみが切り換えられる。ステップＳ４の次に、ステップＳ５が実行される。
【００５９】
ステップＳ５において、コントローラ５０は保水時間が第２保水時間Ｂ以上であるか否かを判定する。第１保水時間Ａ及び第２保水時間Ｂは、タワー水を殺菌する必要性の高さに応じて設定されている。このため、第２保水時間Ｂは、第１保水時間Ａよりも長い。また、保水時間の判定結果に応じて、異なる加熱運転が実行される。加熱運転は、第１加熱運転及び第２加熱運転を含んでいる。加熱運転を特定するためのパラメータとして、加熱温度及び加熱時間がある。加熱温度及び加熱時間の少なくとも一方が、第１加熱運転と第２加熱運転との間で異なっている。ここで、加熱温度は、加熱運転中に水温センサ２５によって計測される水槽２１内のタワー水の水温度である。加熱時間は、タワー水の水温度が所定の加熱温度を超えた状態が継続する時間である。つまり、殺菌に必要な温度が確実に一定時間継続するように、加熱運転が制御される。第１加熱運転は、タワー水の水温度が第１加熱温度αを超えた状態を第１加熱時間Ｉ以上継続させる。第２加熱運転は、タワー水の水温度が第２加熱温度βを超えた状態を第２加熱時間ＩＩ以上継続させる。第２加熱運転が第１加熱運転よりも確実にタワー水を殺菌できるように、第２加熱温度は第１加熱温度よりも高く設定されている。また、計測装置としてのコントローラ５０は、保水時間だけでなく加熱時間を計測できる。
【００６０】
保水時間が第２保水時間Ｂ以上である場合、処理がステップＳ６に進み、保水時間が第２保水時間Ｂ未満である場合、処理がステップＳ７に進む。
【００６１】
ステップＳ６、Ｓ８、Ｓ９は、第２加熱運転を示している。ステップＳ６において、コントローラ５０は加熱時間をリセットし、０にする。ステップＳ６の次にステップＳ８が実行される。ステップＳ８において、コントローラ５０は加熱温度が第２加熱温度β以上であるか否かを判定する。加熱温度が第２加熱温度β以上である場合、処理がステップＳ９に進む。加熱温度が第２加熱温度β未満である場合、処理がステップＳ６に戻り、加熱時間がリセットされる。ステップＳ９において、コントローラ５０は加熱時間が第２加熱時間ＩＩ以上であるか否かを判定する。加熱時間が第２加熱時間ＩＩ以上である場合、第２加熱運転は終了し、処理がステップＳ１０に進む。加熱時間が第２加熱時間ＩＩ未満である場合、第２加熱運転は継続し、処理がステップＳ８に戻る。
【００６２】
ステップＳ７、Ｓ１１、Ｓ１２は、第１加熱運転を示している。第１加熱運転は、保水温度が第１保水時間Ａ以上且つ第２保水時間Ｂ未満である場合に、実行される。ステップＳ７、Ｓ１１、Ｓ１２は、加熱温度及び加熱時間の判定基準を除いて、ステップＳ６、Ｓ８、Ｓ９と同様の処理を実行する。ステップＳ１１では第２加熱温度βが第１加熱温度αに置換されており、ステップＳ１２では第２加熱時間ＩＩが第１加熱時間Ｉに置換されている。
【００６３】
ステップＳ１０において、コントローラ５０は加熱運転の終了後作業を行う。具体的には、コントローラ５０は、冷媒及び冷却水の流れが加熱運転の実行前における流れに戻るように、切換機構１９、第１膨張弁１５、第２膨張弁１８、弁１７、第１三方弁３７、及び第２三方弁３８を切り換える。冷房運転の実行中にステップＳ１０が実行される場合、図３に示される第２冷房運転及び加熱運転が、図２に示される第１冷房運転及び放熱運転に切り換えられる。この場合、ステップＳ１０において、弁１７及び第２三方弁３８のみが切り換えられる。ステップＳ１０の次に、ステップＳ１３が実行される。
【００６４】
ステップＳ１３において、計測装置としてのコントローラ５０は、保水時間をリセットし、０にする。ステップＳ１３の次に、ステップＳ１４が実行される。
【００６５】
ステップＳ１４において、処理が終了する。ステップＳ１４の次に、再びステップＳ１が実行される。
【００６６】
コントローラ５０の起動中は、以上のように、ステップＳ１−Ｓ１４までの処理が繰り返し実行される。
【００６７】
図７−９は、図６に示される基本フローに追加されるオプションフロー群を示している。図７−９のオプションフロー群の一又は複数を図６の基本フローに組み合わせることによって、新たな実行フローが形成される。ここで、実行順序の最下位に基本フローが位置し、基本フローの上位に他のオプションフローが配置される。実行フローの判定開始は、実行フローに含まれる最上位のフローの判定開始であり、実行フローの判定終了は、実行フローに含まれる最下位のフローの判定終了である。最下位のフローの判定終了の次に、最上位のフローの判定開始が実行される。例えば、ある実行フローが、図７のオプションフロー、図８のオプションフロー、及び図６の基本フローの順に配置された三つのフローから形成されている場合を検討する。図７のステップＳ１０１が最上位の判定開始であるため、この実行フローは、ステップＳ１０１から開始される。図７のステップＳ１０３の次に図８のステップＳ２０１が実行され、図８のステップＳ２０３の次に図６のステップＳ１が実行され、図６のステップＳ１４の次に、図７のステップＳ１０１が再び実行される。また、図７のステップＳ１０４及び図８のステップＳ２０６の次に、図７のステップＳ１０１が実行される。
【００６８】
図７は、冷房運転のオプションフローを示すフロー図である。冷房運転のオプションフローに基づいて、コントローラ５０は、冷房運転の実行中のみ加熱運転を冷却水回路３に実行させ、冷房運転が実行されていない場合、例えば暖房運転が実行されている場合に、加熱運転を冷却水回路３に実行させない。
【００６９】
ステップＳ１０１において処理が開始されると、ステップＳ１０２が実行される。
【００７０】
ステップＳ１０２において、コントローラ５０は冷房運転が実行されているか否かを判定する。コントローラ５０が冷媒回路１に冷房運転の実行を指令するため、コントローラ５０は冷房運転が実行されているか否かを特定できる。冷房運転が実行されている場合、処理がステップＳ１０３に進み、冷房運転が実行されていない場合、処理がステップＳ１０４に進む。
【００７１】
ステップＳ１０３は、基本フローの判定開始又は他のオプションフローの判定開始への移行を示している。ステップＳ１０３の次に、例えば、図６のステップＳ１が実行される。
【００７２】
ステップ１０４において、処理が終了する。ステップＳ１０４の次に最上位のフローの判定開始が実行される。冷房運転のオプションフローが最上位のフローである場合、ステップＳ１０４の次にステップＳ１０１が実行される。
【００７３】
図８は、空調負荷のオプションフローを示すフロー図である。加熱運転の実行中、クーリングタワー７が冷媒の冷却に用いられないので、空調能力が低下する。空調負荷のオプションフローに基づいて、コントローラ５０は、空調負荷が高い場合に、加熱運転を冷却水回路３に実行させず、空調能力が低下しないように能力運転を優先する。
【００７４】
ステップＳ２０１において処理が開始されると、ステップＳ２０２が実行される。
【００７５】
ステップＳ２０２において、コントローラ５０は空調負荷率が所定空調負荷率ａ以下であるか否かを判定する。空調負荷率は、最大空調負荷に対する現在の空調負荷の割合である。最大空調負荷は、空調機の定格出力で対応できる負荷を指している。空調機の定格出力は、圧縮機１３の定格出力、室外ファン１４ａの定格出力、タワー水ポンプ２２の定格出力、及び所定の外気温度に基づいて、決定されている。コントローラ５０は、圧縮機１３の現在出力、室外ファン１４ａの現在出力、室内ファン１６ａの現在出力、タワー水ポンプ２２の現在出力を認識しているため、空調負荷を特定できる。冷房運転が実行されている場合、空調負荷及び空調負荷率は、冷房負荷及び冷房負荷率である。
【００７６】
空調負荷率が所定空調負荷率ａ以下である場合、処理がステップＳ２０３に進み、空調負荷率が所定空調負荷率ａより大きい場合、処理がステップＳ２０４に進む。
【００７７】
ステップＳ２０３は、基本フローの判定開始又は他のオプションフローの判定開始への移行を示している。
【００７８】
ステップＳ２０４において、コントローラ５０は加熱殺菌の優先設定が行われているか否かを判定する。ユーザーは、操作装置５１を用いて、加熱殺菌の優先設定のＯＮ、ＯＦＦを指定できる。加熱殺菌の優先設定が行われている場合、処理がステップＳ２０５に進み、加熱殺菌の優先設定が行われていない場合、処理がステップＳ２０６に進む。
【００７９】
ステップＳ２０５において、コントローラ５０は保水時間が第２保水時間Ｂ以上であるか否かを判定する。保水時間が第２保水時間Ｂ以上である場合、処理がステップＳ２０３に進み、保水時間が第２保水時間Ｂ未満である場合、処理がステップＳ２０６に進む。
【００８０】
ステップ２０６において、処理が終了する。ステップＳ２０６の次に最上位のフローの判定開始が実行される。空調負荷のオプションフローが最上位のフローである場合、ステップＳ２０６の次にステップＳ２０１が実行される。
【００８１】
図９は、外気温度のオプションフローを示すフロー図である。外気温度のオプションフローに基づいて、コントローラ５０は、外気温度が所定外気温度γ未満である場合に冷却水回路３に加熱運転を実行させない。所定外気温度γは、例えば、レジオネラ菌の繁殖が発生する外気温度の下限値として設定されている。つまり、このフローは、レジオネラ菌の繁殖が発生しにくい場合に、加熱運転の実行を抑制する。
【００８２】
ステップＳ３０１において処理が開始されると、ステップＳ３０２が実行される。
【００８３】
ステップＳ３０２において、コントローラ５０は外気温度が所定外気温度γ以上であるか否かを判定する。気温センサ８が外気温度を検出するため、コントローラ５０は外気温度を特定できる。外気温度が所定外気温度γ以上である場合、処理がステップＳ３０３に進み、外気温度が所定外気温度γ未満である場合、処理がステップＳ３０４に進む。
【００８４】
ステップＳ３０３は、基本フローの判定開始又は他のオプションフローの判定開始への移行を示している。例えば、ステップＳ１０３の次に、図６のステップＳ１が実行される。
【００８５】
ステップ３０４において、処理が終了する。ステップＳ３０４の次に最上位のフローの判定開始が実行される。冷房運転のオプションフローが最上位のフローである場合、ステップＳ３０４の次にステップＳ３０１が実行される。
【００８６】
図１０−１２は、実行フローと並行して実行される支援フローを示している。コントローラ５０は、実行フローを実行すると共に、支援フローを並行して実行する。支援フローによって得られる判定結果は、実行フローで利用される。
【００８７】
図１０は、保水時間の支援フローを示すフロー図である。保水時間の支援フローに基づいて、コントローラ５０は、タワー水の水温度が所定水温度δ以上である場合のみ、保水時間の計測を計測装置（コントローラ５０）に行わせる。このため、水温度が所定水温度δの周辺で変動する場合、計測された保水時間は、実時間の計測によって得られる時間幅とは異なっている。所定水温度δは、例えば、レジオネラ菌の繁殖が発生する水温度の下限値として設定されている。つまり、このフローは、レジオネラ菌の繁殖が発生しにくい場合に、加熱運転の実行頻度を低下させる。
【００８８】
ステップＳ４０１において処理が開始されると、ステップＳ４０２が実行される。
【００８９】
ステップＳ４０２において、コントローラ５０はタワー水の水温度が所定水温度δ以上であるか否かを判定する。水温センサ２５が水槽２１内の水温度を検出するので、コントローラ５０はタワー水の水温度を特定できる。水温度が所定水温度δ以上である場合、処理がステップＳ４０３に進む。水温度が所定水温度δ未満である場合、処理がステップＳ４０１に戻る。
【００９０】
ステップ４０３において、コントローラ５０は保水時間を計測する。ステップ４０３の次に、ステップ４０４が実行される。
【００９１】
ステップ４０４において、処理が終了する。ステップＳ４０４の次に、再びステップＳ４０１が実行される。
【００９２】
図１１は、空調運転の停止の支援フローを示すフロー図である。通常、空調運転の停止が指令されると、エンジン３５の運転も停止される。しかし、加熱運転の実行中にエンジン３５の運転が停止されると、加熱運転の実行も中断されてしまう。加熱運転が中断されると、タワー水が十分に殺菌されない。空調運転の停止の支援フローに基づいて、コントローラ５０は、空調運転の停止の指令が発生しても、加熱運転が終了するまでエンジン３５の運転を継続させる。
【００９３】
ステップＳ５０１において処理が開始されると、ステップＳ５０２が実行される。
【００９４】
ステップＳ５０２において、コントローラ５０は加熱運転が実行中であるか否かを判定する。加熱運転が実行中である場合、処理がステップＳ５０３に進む。加熱運転が実行中ではない場合、処理がステップＳ５０７に進む。
【００９５】
ステップＳ５０３において、コントローラ５０は空調運転の停止指令が発生しているか否かを判定する。停止指令は、室内機のリモートコントローラ（操作装置５１）によるＯＦＦ指令、指令された目標温度への追従制御における一時的な空調運転の中止、及びタイマー等による停止指令によって、発生する。
【００９６】
停止指令が発生している場合、処理がステップＳ５０４に進み、停止指令が発生していない場合、処理がステップＳ５０７に進む。
【００９７】
ステップＳ５０４において、コントローラ５０は室内ファン１６ａを停止させる。つまり、空調運転自体は停止されない。このため、エンジン３５の運転も継続される。ステップＳ５０４の次に、ステップＳ５０５が実行される。
【００９８】
ステップＳ５０５において、コントローラ５０は加熱運転が終了しているか否かを判定する。加熱運転が終了している場合、処理がステップＳ５０６に進み、加熱運転が終了していない場合、処理が再びステップＳ５０５に戻る。
【００９９】
ステップＳ５０６において、コントローラ５０は空調運転自体を停止させる。つまり、コントローラ５０は加熱運転の終了後に、空調運転の停止指令を実行する。
【０１００】
ステップ５０７において、処理が終了する。ステップＳ５０７の次に、再びステップＳ５０１が実行される。
【０１０１】
図１２は、クーリングタワー７の殺菌の支援フローである。クーリングタワー７の殺菌の支援フローに基づいて、コントローラ５０は、加熱運転によって加熱されたタワー水がタワー水回路２の全体を殺菌するように、タワー水回路２を制御する。
【０１０２】
ステップＳ６０１において処理が開始されると、ステップＳ６０２が実行される。
【０１０３】
ステップＳ６０２において、コントローラ５０は加熱運転が実行中であるか否かを判定する。加熱運転が実行中である場合、処理がステップＳ６０３に進む。加熱運転が実行中ではない場合、処理がステップＳ６０５に進む。
【０１０４】
ステップＳ６０３において、コントローラ５０は加熱運転が終了しているか否かを判定する。加熱運転が終了している場合、処理がステップＳ６０４に進む。加熱運転が終了していない場合、処理が再びステップＳ６０３に戻る。
【０１０５】
ステップＳ６０４において、コントローラ５０はクーリングタワー７に散水を実行させる。具体的には、タワー水ポンプ２２の運転が開始される。つまり、コントローラ５０（第３制御装置）は、加熱運転が終了すると、クーリングタワー７及びＴＲ熱交換器４をタワー水が少なくとも一時的に循環するように、タワー水回路２を制御する。この結果、加熱運転によって加熱されたタワー水がタワー水回路２内を循環し、タワー水回路２の全体が殺菌される。冷房運転の実行中に加熱運転が実行された場合、加熱運転の終了後に冷却運転が開始され、散水が継続的に実行される。一方、冷房運転が実行されていないときに加熱運転が実行された場合、加熱運転の終了後に一時的に散水が実行される。つまり、少なくとも一時的に散水が実行される。ステップＳ６０４の次に、ステップＳ６０５が実行される。
【０１０６】
ステップ６０５において、処理が終了する。ステップＳ６０５の次に、再びステップＳ６０１が実行される。
【０１０７】
（第２実施形態の構成）
図１３を参照して、第２実施形態に係る空調機を説明する。図１３は、空調機のブロック図である。タワー水回路２の構成が、第１実施形態と第２実施形態との間で異なっている。他の点は、第１実施形態と第２実施形態との間で同一である。なお、図１３において、冷媒回路１及び冷却水回路３の構成は部分的に省略されている。
【０１０８】
図１３において、第２実施形態に係るタワー水回路２は、第１実施形態に係るタワー水回路２の構成要素だけでなく、ＴＥ経路２６及びモータバルブ２７を備えている。ＴＥ経路２６は、散水器２３及び充填材２４を迂回する。ＴＥ経路２６の両端は、主経路２０の途中と水槽２１とに接続されている。モータバルブ２７は主経路２０とＴＥ経路２６との接続部に配置されている。モータバルブ２７は、タワー水が流れる経路を、ＴＥ経路２６又は主経路２０に切り換える。つまり、モータバルブ２７は、冷却運転の実行と停止とを切り換える切換装置であり、この点において第１実施形態におけるタワー水ポンプ２２に相当する。また、第２実施形態に係るタワー水回路２では、ＴＥ熱交換器６が水槽２１の外部に配置されている。
【０１０９】
第２実施形態に係るタワー水回路２は、冷却運転及び被加熱運転を実行できる。被加熱運転において、モータバルブ２７はＴＥ経路６を選択しており、タワー水ポンプ２２の駆動は継続している。このとき、タワー水は、主経路２０及びＴＥ経路６に沿って、タワー水ポンプ２２、モータバルブ２７、及び水槽２１を流れるが、クーリングタワー７及びＴＲ熱交換器４を流れない。つまり、被加熱運転において、冷却運転は停止されている。
【０１１０】
（第３実施形態の構成）
図１４を参照して、第３実施形態に係る空調機を説明する。図１４は、空調機のブロック図である。第３実施形態に係る空調機は、３つの冷媒回路１を備えている。他の点は、第１実施形態と第３実施形態との間で同一である。なお、図１４において、冷媒回路１、タワー水回路２、及び冷却水回路３の構成は部分的に省略されている。
【０１１１】
各冷媒回路１は、空調運転を個別に実行できる。各冷媒回路１は少なくとも１台の室内熱交換器１６を備えている。
【０１１２】
図７の冷房運転のオプションフローにおいて冷房運転が実行されている場合は、少なくとも１つの冷媒回路１が冷房運転を実行している場合を指している。例えば、１つの冷媒回路１が暖房運転を実行し、他の２つの冷媒回路１が冷房運転を実行している。
【０１１３】
第３実施形態に係る空調機において、複数の冷媒回路１の間で同一の圧縮機１３が共用されても良い。
【０１１４】
（本実施形態の効果）
本実施形態に係る空調機は、上述の構成により、次の効果を有する。
【０１１５】
（１）第１−３実施形態に係る空調機は、タワー水回路２、冷媒回路１、エンジン３５、タワー水−冷媒熱交換器（ＴＲ熱交換器４）、計測装置（コントローラ５０）、加熱装置（冷却水回路３）、第１制御装置（コントローラ５０）、及び水温センサ（水温度検出器）２５を備えている。加熱装置は、エンジン３５の排熱を熱源として利用し、タワー水を加熱する。第１制御装置は、保水時間に基づいて加熱運転（第１加熱運転及び第２加熱運転）を加熱装置に実行させると共に、加熱運転が実行されているときに冷却運転の停止をタワー水回路に実行させる。
【０１１６】
このため、第１−３実施形態に係る空調機は、クーリングタワー７のタワー水を殺菌することにより、レジオネラ菌の繁殖を防止できる。このため、この空調機は、クーリングタワー７の清掃を不要にできる、又は清掃の頻度を低減できる。
【０１１７】
（２）第３実施形態に係る空調機は、複数の冷媒回路１を備えている。少なくとも１つの冷媒回路が冷房運転を実行している場合に、加熱運転が実行される。
【０１１８】
冷房運転が実行されている場合、クーリングタワー７による冷媒の冷却能力を活用することによって、冷房能力が補われる。このため、第３実施形態に係る空調機は、クーリングタワー７の散水が実行される可能性がある場合に、クーリングタワー７の殺菌を実行できる。
【０１１９】
（３）第１−３実施形態に係る空調機において、冷房負荷率が所定冷房負荷率より大きいときは、加熱装置は第１加熱運転を実行しない。
【０１２０】
クーリングタワー７の冷却能力が、冷房負荷に対応するために使用されている場合、又は使用される可能性が高い場合に、第１加熱運転が抑制され、冷房運転が優先される。一方、第２加熱運転は抑制されない。このため、第１−３実施形態に係る空調機は、冷房負荷への対応を優先しながら、タワー水の殺菌も実現できる。
【０１２１】
（４）第１−３実施形態に係る空調機は、外気温度検出器（気温センサ８）を備えている。外気温度が所定外気温度未満であるときは、加熱装置は加熱運転を実行しない。
【０１２２】
外気温度が低いほど、タワー水の水温度が低くなり、タワー水内に雑菌が繁殖しにくくなる。このため、第１−３実施形態に係る空調機は、加熱運転の実行自体又は実行頻度を抑制できる。例えば、所定外気温度がレジオネラ菌の繁殖が発生しない外気温度に設定されている場合、この空調機は、レジオネラ菌の繁殖が不活性である時期に加熱運転を抑制できる。
【０１２３】
（５）第１−３実施形態に係る空調機において、水温度が所定水温度未満であるときは、計測装置（コントローラ５０）は保水時間の計測を中断する。
【０１２４】
タワー水の水温度が低いほど、タワー水内に雑菌が繁殖しにくい。このため、第１−３実施形態に係る空調機は、加熱運転の実行自体又は実行頻度を抑制できる。例えば、所定水温度がレジオネラ菌の繁殖が発生しない水温度に設定されている場合、この空調機は、レジオネラ菌の繁殖が不活性である時期に加熱運転を抑制できる。
【０１２５】
（６）第１−３実施形態に係る空調機において、空調運転の停止が指令されたときに加熱運転が開始されている場合、加熱運転が終了するまで第２制御装置（コントローラ５０）はエンジン３５の運転を継続させる。
【０１２６】
空調運転の停止に伴ってエンジン３５が停止され、加熱装置の熱源が失われることが防止されている。このため、第１−３実施形態に係る空調機は、加熱運転が開始された場合であっても確実に加熱運転を実行できる。
【０１２７】
（７）第１−３実施形態に係る空調機は、第３制御装置（コントローラ５０）を備えている。第３制御装置は、加熱運転が終了すると、クーリングタワー７及びＴＲ熱交換器４をタワー水が少なくとも一時的に循環するようにタワー水回路２を制御する。
【０１２８】
このため、第１−３実施形態に係る空調機は、加熱運転によって加熱されたタワー水を用いてタワー水回路２の全体を殺菌できる。
【符号の説明】
【０１２９】
１  冷媒回路
２  タワー水回路
３  冷却水回路（加熱装置）
４  ＴＲ熱交換器（タワー水−冷媒熱交換器）
７  クーリングタワー
８  気温センサ（外気温度検出器）
２５  水温センサ（水温度検出器）
３５  エンジン
５０  コントローラ（第１制御装置、第２制御装置、第３制御装置、計測装置）
【図１】
2013178021.tif 000003
【図２】
2013178021.tif 000004
【図３】
2013178021.tif 000005
【図４】
2013178021.tif 000006
【図５】
2013178021.tif 000007
【図６】
2013178021.tif 000008
【図７】
2013178021.tif 000009
【図８】
2013178021.tif 000010
【図９】
2013178021.tif 000011
【図１０】
2013178021.tif 000012
【図１１】
2013178021.tif 000013
【図１２】
2013178021.tif 000014
【図１３】
2013178021.tif 000015
【図１４】
2013178021.tif 000016